(57)【要約】【課題】本発明は、光ディスク再生装置およびこれを搭載した自動車および電子機器に関するもので、光ピックアップの動作の安定性を高めることを目的とする。【解決手段】光ピックアップ１６と光ピックアップ駆動体１７を、基板１８の裏面側に配置するとともに、この光ピックアップ１６の移動軌跡に対応する前記基板１８部分には、前記光ピックアップ１６から光ディスク１３に向けて光を照射するための光通過開口２５を形成し、この光通過開口２５の光ディスク回転駆動体１４側で、前記光ディスク１３の回転方向には、この光ディスク１３の回転方向に向けて広がった吸気口２６を設けた。【選択図】図５
2014078294.tif 000002
【特許請求の範囲】
【請求項１】
基板と、この基板の貫通孔を貫通し、その光ディスク装着部を、前記基板表面側に突出させた光ディスク回転駆動体と、この光ディスク回転駆動体により、前記基板の表面側において回転駆動される光ディスクからのデータ読み取り、またはこの光ディスクへのデータ書き込みの少なくとも一方を実行する光ピックアップと、この光ピックアップを、前記光ディスクの半径方向に移動させる光ピックアップ駆動体とを備え、前記光ピックアップと光ピックアップ駆動体を、前記基板の裏面側に配置するとともに、この光ピックアップの移動軌跡に対応する前記基板部分には、前記光ピックアップから光ディスクに向けて光を照射するための光通過開口を形成し、この光通過開口の前記光ディスク回転駆動体側で、前記光ディスクの回転方向には、この光ディスクの回転方向に向けて広がった第１の吸気口を設けた光ディスク再生装置。
【請求項２】
光通過開口のディスク回転駆動体側において、第１の吸気口を連結形成した請求項１に記載の光ディスク再生装置。
【請求項３】
基板に設けた光通過開口の第１の吸気口よりも外周側には、この第１の吸気口よりも開口面積の小さな第２の吸気口を設けた請求項２に記載の光ディスク再生装置。
【請求項４】
基板に設けた光通過開口の第１の吸気口よりも外周側には、この第１の吸気口よりも開口面積の小さな第２の吸気口を複数設けた請求項２に記載の光ディスク再生装置。
【請求項５】
第２の吸気口は光ディスクの回転方向に対しては、外周から内周へと実質的に傾斜させて形成した請求項３、または４に記載の光ディスク再生装置。
【請求項６】
基板に設けた光通過開口の光ディスクの回転方向と、その反対方向のうち、少なくとも光ディスクの回転方向の表面側は、カバーで覆い、このカバーにおける光通過開口の光ディスク回転駆動体側には、第１の吸気口用の切欠部、または貫通部を設けた請求項１から５のいずれかひとつに記載の光ディスク再生装置。
【請求項７】
カバーにおける光通過開口の第１の吸気口よりも外周側に、第２の吸気口用の切欠部、または貫通部を設けた請求項２から６のいずれか一つに記載の光ディスク再生装置。
【請求項８】
請求項１から７のいずれか一つに記載の光ディスク再生装置を、車内に搭載した自動車。
【請求項９】
請求項１から８のいずれか一つに記載の光ディスク再生装置を、本体ケース内に設けた電子機器。
【発明の詳細な説明】
【技術分野】
【０００１】
本発明は、光ディスク再生装置およびこれを搭載した自動車および電子機器に関するものである。
【背景技術】
【０００２】
自動車や電子機器に搭載されている光ディスク再生装置の構成は、基板と、この基板の貫通孔を貫通し、その光ディスク装着部を、前記基板表面側に突出させた光ディスク回転駆動体と、この光ディスク回転駆動体により、前記基板の表面側において回転駆動される光ディスクからのデータ読み取り、またはこの光ディスクへのデータ書き込みの少なくとも一方を実行する光ピックアップと、この光ピックアップを、前記光ディスクの半径方向に移動させる光ピックアップ駆動体とを備えた構成となっている。
【０００３】
前記光ピックアップと光ピックアップ駆動体は、前記基板の裏面側に配置され、この光ピックアップの移動軌跡に対応する前記基板部分には、前記光ピックアップから光ディスクに向けて光を照射するための光通過開口を形成し、この光通過開口の開口縁となる基板部分には、前記光ディスクの回転により発生する空気流を、光ピックアップ側に押し込む排気口を設けた構成となっている（たとえば下記特許文献１）。
【先行技術文献】
【特許文献】
【０００４】
【特許文献１】特開２００５−１６６２１８号公報
【発明の概要】
【発明が解決しようとする課題】
【０００５】
上述した光ディスク再生装置は、光ディスクの回転により発生する空気流を、排気口に押し込むことにより、基板裏面側の光ピックアップを冷却し、その動作の安定化を図ろうとしている。
【０００６】
しかしながら、光ディスクの回転により発生する空気流は、光ディスクと基板表面間を外周方向に拡散はすれど、あえて通気抵抗の高い排気口から基板裏面側の光ピックアップ方向にはほとんど流入せず、その結果として光ピックアップが高温化し、その動作が不安定になる虞があった。
【０００７】
そこで、本発明は、光ピックアップの動作の安定性を高めることを目的とするものである。
【課題を解決するための手段】
【０００８】
そして、この目的を達成するために、本発明は、基板と、この基板の貫通孔を貫通し、その光ディスク装着部を、前記基板表面側に突出させた光ディスク回転駆動体と、この光ディスク回転駆動体により、前記基板の表面側において回転駆動される光ディスクからのデータ読み取り、またはこの光ディスクへのデータ書き込みの少なくとも一方を実行する光ピックアップと、この光ピックアップを、前記光ディスクの半径方向に移動させる光ピックアップ駆動体とを備え、前記光ピックアップと光ピックアップ駆動体を、前記基板の裏面側に配置するとともに、この光ピックアップの移動軌跡に対応する前記基板部分には、前記光ピックアップから光ディスクに向けて光を照射するための光通過開口を形成し、この光通過開口の前記光ディスク回転駆動体側で、前記光ディスクの回転方向には、この光ディスクの回転方向に向けて広がった第１の吸気口を設け、これにより初期の目的を達
成するものである。
【発明の効果】
【０００９】
以上のように本発明は、基板と、この基板の貫通孔を貫通し、その光ディスク装着部を、前記基板表面側に突出させた光ディスク回転駆動体と、この光ディスク回転駆動体により、前記基板の表面側において回転駆動される光ディスクからのデータ読み取り、またはこの光ディスクへのデータ書き込みの少なくとも一方を実行する光ピックアップと、この光ピックアップを、前記光ディスクの半径方向に移動させる光ピックアップ駆動体とを備え、前記光ピックアップと光ピックアップ駆動体を、前記基板の裏面側に配置するとともに、この光ピックアップの移動軌跡に対応する前記基板部分には、前記光ピックアップから光ディスクに向けて光を照射するための光通過開口を形成し、この光通過開口の前記光ディスク回転駆動体側で、前記光ディスクの回転方向には、この光ディスクの回転方向に向けて広がった第１の吸気口を設けたものであるので、光ピックアップの動作の安定性を高めることができる。
【００１０】
すなわち、本発明は、前記基板部分に設けた光通過開口の前記光ディスク回転駆動体側で、前記光ディスクの回転方向に、この光ディスクの回転方向に向けて広がった第１の吸気口を設けたものである。
【００１１】
つまり、本発明においては、光ディスクの回転方向に向けて広がった第１の吸気口を設けることで、光ディスクの回転にともない、基板の裏面側からこの第１の吸気口を介して基板表面側に空気が吸い上げられることになり、このときの吸引力は、この第１の吸気口を介して基板裏面側に空気を押し込むものに比較して、極めて強く、大量の空気が基板裏面側から表面側へと吸い上げられることとなる。
【００１２】
そして、このように基板裏面側から第１の吸気口を介して基板表面側に吸い上げられる大量の空気流が、基板裏面側において光ピックアップを冷却することとなり、この結果として、光ピックアップを十分に冷却し、その動作を安定性させることができるのである。
【図面の簡単な説明】
【００１３】
【図１】本発明の実施の形態１の光ディスク再生装置を自動車に搭載した状態を示す斜視図
【図２】同光ディスク再生装置の斜視図
【図３】同光ディスク再生装置の斜視図
【図４】同光ディスク再生装置の分解斜視図
【図５】同光ディスク再生装置の斜視図
【図６】同光ディスク再生装置の斜視図
【図７】同光ディスク再生装置の要部平面図
【図８】同光ディスク再生装置の要部平面図
【図９】同光ディスク再生装置の動作状態を示す要部平面図
【図１０】同光ディスク再生装置の動作状態を示す要部平面図
【図１１】同光ディスク再生装置の動作状態を示す要部平面図
【図１２】同光ディスク再生装置の動作状態を示す要部断面図
【図１３】同光ディスク再生装置の動作状態を示す要部拡大断面図
【発明を実施するための形態】
【００１４】
以下、本発明の実施の形態について図面を参照しながら説明する。
【００１５】
（実施の形態１）
図１において、自動車１の車内２前方にはハンドル３が配置されている。
【００１６】
また、車内２前方で、ハンドル３側方には、電子機器４が配置されている。
【００１７】
この電子機器４は、図２に示すごとく、その前面側に表示部５、操作部６、ディスク挿入口７などが設けられている。
【００１８】
さらに、電子機器４内部には、図３、図４に示す光ディスク再生装置８が配置されている。
【００１９】
光ディスク再生装置８は、天板９、外周フレーム１０からなる本体ケース１１を備え、この本体ケース１１の前面側にディスク挿入口１２が設けられている（ディスク挿入口７、１２は前後方向で対応関係にある）。
【００２０】
光ディスク再生装置８は、良く知られているように、このような本体ケース１１と、前記ディスク挿入口１２から本体ケース１１内に挿入された光ディスク（図６の１３）が装着される光ディスク回転駆動体１４と、この光ディスク回転駆動体１４の光ディスク装着部１４ａに装着された光ディスク１３を、図３に示すごとく、前記光ディスク回転駆動体１４とは反対側から、この光ディスク回転駆動体１４側に付勢するディスククランプ手段１５と、この光ディスク回転駆動体１４によって回転される光ディスク１３からのデータ読み取り、またはこの光ディスクへのデータ書き込みの少なくとも一方を実行する図５、図７に示した光ピックアップ１６と、この光ピックアップ１６を、前記光ディスク１３の半径方向に移動させる光ピックアップ駆動体１７とを備えている。
【００２１】
さらに詳細に説明すると、光ディスク回転駆動体１４を構成する図１２に示すモータ２１は、図５、図７から理解されるように、基板１８の裏面側に配置されている。
【００２２】
また、この光ディスク回転駆動体１４を構成する前記光ディスク装着部１４ａは、図５、図７から理解されるように、基板１８の貫通孔１９を貫通し、前記基板１８表面側に突出している。
【００２３】
そして、この状態で、基板１８の表面側において、図１２のごとく、光ディスク装着部１４ａに光ディスク１３が装着されるようになっている。
【００２４】
光ピックアップ１６は上述のごとく、光ピックアップ駆動体１７によって、前記光ディスク１３の半径方向に移動させるようになっているが、この光ピックアップ１６の移動軌跡に対応する前記基板１８部分には、図７に示すごとく、前記光ピックアップ１６から光ディスク１３に向けて光を照射するための光通過開口２０を形成している。
【００２５】
また、この図７に示すごとく、光通過開口２０内に、上述した光ピックアップ１６と、光ピックアップ駆動体１７が配置されている。
【００２６】
光ピックアップ駆動体１７は良く知られているように、モータ２１と、このモータ２１によって回転されるネジ２２と、このネジ２２に係合する係合辺（図示せず）とにより構成され、これによって光ピックアップ１６をガイド軸２３に沿って、光ディスク１３の半径方向に移動させるようになっている。
【００２７】
本実施形態では、基板１８に設けた光通過開口２０のうち、光ピックアップ駆動体１７と、光ピックアップ１６の一部（光の照射部と光の受光部を除いた部分）を、図８に示すカバー２４で、図５のごとく覆っている。
【００２８】
このカバー２４は、基板１８の一部を構成するものとして設けたものであるから、光ピックアップ１６が光ディスク１３の半径方向に移動し、その光の照射部と光の受光部が表出すること、および光ディスク回転駆動体１４の光ディスク装着部１４ａが基板１８の貫通孔１９を貫通し、前記基板１８表面側に突出するための光通過開口２５を備えている。
【００２９】
また、このカバー２４の光通過開口２５には、この光通過開口２５の前記光ディスク回転駆動体１４側で、前記光ディスク１３の回転方向（図６のＡ方向）には、この光ディスク１３の回転方向に向けて広がった吸気口２６を設けている。
【００３０】
なお、本実施形態の吸気口２６は、図８に示すごとく、光通過開口２５の光ディスク回転駆動体１４側において、光通過開口２５に連結形成（光通過開口２５を外方に切欠いて形成）している。
【００３１】
また、カバー２４の吸気口２６の外周側で、前記光ディスク１３の回転方向（図６のＡ方向）には、吸気口２６よりも開口面積の小さな吸気口２７を、カバー２４を貫通することで、複数個設けている。
【００３２】
なお、この吸気口２７は、光ディスクの回転方向に対しては、外周から内周へと実質的に傾斜させて形成している。
【００３３】
本実施形態では、これらの吸気口２６、吸気口２７をカバー２４に形成したが、カバー２４部分を、基板１８にて形成している場合には、これらの吸気口２６、吸気口２７は、基板１８に形成されることになる。
【００３４】
以上の構成において、図６、図１２、図１３のごとく、光ディスク１３を、光ディスク回転駆動体１４の光ディスク装着部１４ａに装着し、光ディスク回転駆動体１４により、図６のごとく回転駆動すると、その裏面側に記録された情報が光ピックアップ１６によって読み取られたり、あるいは情報が書き込まれたりする。
【００３５】
このとき、光ピックアップ１６は発光素子（図７の２８）の発光にともない、温度上昇が起きるのであるが、本実施形態では、基板１８表面上で回転する光ディスク１３による負圧で、基板１８裏面側から表面側へと吸い上げられる空気で光ピックアップ１６を冷却する構成としている。
【００３６】
具体的には、図９、図１２は光ピックアップ１６が内周方向に移動しているときの冷却を示し、また図１０は光ピックアップ１６が中周方向に移動しているときの冷却を示し、さらに図１１は光ピックアップ１６が外周方向に移動しているときの冷却を示している。
【００３７】
これら図９〜図１１において、矢印Ａは光ディスク１３の回転方向を示しており、それ以外の矢印は光ディスク１３の回転にともなう負圧で、基板１８裏面側から表面側へと吸い上げられる空気の流れを示している。
【００３８】
図９、図１２のごとく、光ピックアップ１６が内周方向に移動しているときには、光ディスク１３の回転にともなう負圧で、基板１８裏面側から表面側へと吸い上げられる空気は、光ピックアップ１６の外周面に沿い、次に内周側の大きな吸気口２６と、小さな吸気口２７のうち内周側のものを通過し、基板１８表面側へと流れる。
【００３９】
このとき、光ディスク１３の回転にともない、光ピックアップ１６の外周面に沿い、それを冷却する空気は、基板１８の裏面側から吸気口２６、２７を介して基板１８表面側に吸い上げられるものであって、この吸引力は、吸気口２６、２７を介して基板１８裏面側
（光ピックアップ１６側）に空気を押し込むものに比較して、極めて強く、大量の空気が基板１８裏面側から表面側へと吸い上げられることとなる。
【００４０】
そして、このように基板１８裏面側から吸気口２６、２７を介して基板１８表面側に吸い上げられる大量の空気流が、基板１８裏面側において光ピックアップ１６を冷却することとなり、この結果として、光ピックアップ１６を十分に冷却し、その動作を安定性させることができるのである。
【００４１】
なお、本実施形態において、図８のごとく、カバー２４に設けた光通過開口２５の前記光ディスク回転駆動体１４側で、前記光ディスク１３の回転方向（図６のＡ方向）に、この光ディスク１３の回転方向に向けて広がった吸気口２６を設けた理由は、次のようなものである。
【００４２】
すなわち、光ディスク１３の回転にともなう負圧は、内周部分が最も強くなるのであるが、この内周方向に光ピックアップ１６が図９のごとく移動しているときには、光通過開口２５が光ピックアップ１６で覆われ、それによって光ディスク１３の回転にともなう負圧が最も強い内周部分への吸い上げを阻害してしまうことが懸念される。
【００４３】
そこで、本実施形態では、カバー２４に設けた光通過開口２５の前記光ディスク回転駆動体１４側で、前記光ディスク１３の回転方向（図６のＡ方向）に、この光ディスク１３の回転方向に向けて広がった吸気口２６を設けたもので、このようにすれば、光ディスク１３の回転にともなう負圧が最も強い内周部分への空気の吸い上げ阻害を抑制することができるのである。
【００４４】
つまり、光ディスク１３の回転にともなう負圧が最も強い内周部分への空気の吸い上げを阻害しないことが、光ピックアップ１６外周部分への空気の流れ量を多くし、それによって光ピックアップ１６を効果的に冷却することが出来るようになるのである。
【００４５】
なお、光ディスク１３はその内周部分に、基本的な動作情報が記載されていることが多く、よって光ピックアップ１６は必ずこの内周方向に移動するので、この部分における光ピックアップ１６の冷却効果を高めるのは、極めて有意義なものとなる。
【００４６】
また、図１０のごとく光ピックアップ１６が中周方向に移動しているときや、図１１のごとく光ピックアップ１６が外周方向に移動しているときでも、上述したように吸気口２６を設けたことにより、光ディスク１３の回転にともなう負圧が最も強い内周部分への空気の吸い上げ量を多くすることで、光ピックアップ１６外周部分への空気の流れ量を多くし、それによって光ピックアップ１６を効果的に冷却することが出来るようになるのである。
【００４７】
なお、これらの図１０、図１１の場合には、図１３からも理解されるように、カバー２４の吸気口２６の外周側で、前記光ディスク１３の回転方向（図６のＡ方向）に設けた吸気口２７に流れる空気が光ピックアップ１６の外周を通過する空気となり、これにて光ピックアップ１６は効果的に冷却される。
【００４８】
また、そのように吸気口２７を介して空気がスムーズに吸い上げられるように、この吸気口２７も光ディスク１３の回転方向（図６のＡ方向）に外周方向から内周方向へと実質的に傾斜させた状態となっている。
【産業上の利用可能性】
【００４９】
以上のように本発明は、前記基板部分に設けた光通過開口の前記光ディスク回転駆動体
側で、前記光ディスクの回転方向に、この光ディスクの回転方向に向けて広がった第１の吸気口を設けたものである。
【００５０】
つまり、本発明においては、光ディスクの回転方向に向けて広がった第１の吸気口を設けることで、光ディスクの回転にともない、基板の裏面側からこの第１の吸気口を介して基板表面側に空気が吸い上げられることになり、このときの吸引力は、この第１の吸気口を介して基板裏面側に空気を押し込むものに比較して、極めて強く、大量の空気が基板裏面側から表面側へと吸い上げられることとなる。
【００５１】
そして、このように基板裏面側から第１の吸気口を介して基板表面側に吸い上げられる大量の空気流が、基板裏面側において光ピックアップを冷却することとなり、この結果として、光ピックアップを十分に冷却し、その動作を安定性させることができるのである。
【００５２】
したがって、自動車や、電子機器への活用が期待される。
【符号の説明】
【００５３】
１  自動車
２  車内
３  ハンドル
４  電子機器
５  表示部
６  操作部
７  ディスク挿入口
８  光ディスク再生装置
９  天板
１０  外周フレーム
１１  本体ケース
１２  ディスク挿入口
１３  光ディスク
１４  光ディスク回転駆動体
１５  ディスククランプ手段
１６  光ピックアップ
１７  光ピックアップ駆動体
１８  基板
１９  貫通孔
２０  光通過開口
２１  モータ
２２  ネジ
２３  ガイド軸
２４  カバー
２５  光通過開口
２６  吸気口
２７  吸気口
２８  発光素子
【図１】
2014078294.tif 000003
【図２】
2014078294.tif 000004
【図３】
2014078294.tif 000005
【図４】
2014078294.tif 000006
【図５】
2014078294.tif 000007
【図６】
2014078294.tif 000008
【図７】
2014078294.tif 000009
【図８】
2014078294.tif 000010
【図９】
2014078294.tif 000011
【図１０】
2014078294.tif 000012
【図１１】
2014078294.tif 000013
【図１２】
2014078294.tif 000014
【図１３】
2014078294.tif 000015